【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
上側のチュブシートから下側のチュブシートに延びる複数の反応器のチューブのうちの１つである化学反応器のチューブを触媒で装填し、装填した後に、この化学反応器のチューブ中の触媒の高さをチェックするための装置であって、
前記上側のチュブシートの上に静置される上方のフランジ部分であって、所定の外径を有し、ほぼ制限されていない開口部を規定し、この開口部は、前記フランジ部分が上側のチュブシートの上端上に静置されているときに、この上側のチュブシートを通った触媒粒子全体を受けるのに適している上方のフランジ部分と、
上端と底とを有し、この上端は、前記開口部が、中へと開成するように前記上方のフランジ部分に隣接しており、前記上方のフランジ部分から下方へと突出しているチューブ状のスリーブ部分と、
このチューブ状のスリーブ部分の底から所定の高さにある、このチューブ状のスリーブ部分の少なくとも１つの目盛とを具備し、
前記チューブ状のスリーブ部分の外径は、このチューブ状のスリーブ部分の全長において、前記上方のフランジ部分の最大外径よりも小さく、従って、チューブ状のスリーブ部分は、フランジ部分が上側のチュブシート上に静置されているとき、化学反応器のチューブ中に延び、
前記チューブ状のスリーブ部分の内径は、チューブ状のスリーブ部分の全長において、前記フランジ部分の開口部の最小径よりも大きく、従って、フランジ部分の開口部を通過し得る粒子が、チューブ状のスリーブ部分全体を通って自由に流れることを確実にする、装置。
【請求項２】
前記チューブ状のスリーブ部分の様々な高さに付された複数の目盛をさらに具備する、請求項１の化学反応器のチューブを装填するための装置。
【請求項３】
所望の隙間のディメンションの範囲を示す幅広のバンドの目盛を、前記チューブ状のスリーブ部分にさらに具備する、請求項１の化学反応器のチューブを装填するための装置。
【請求項４】
前記フランジ部分と、前記チューブ状のスリーブ部分とは、一緒に係合される別々のピースである請求項１の化学反応器のチューブを装填するための装置。
【請求項５】
前記開口部は、下端よりも上端に小さな直径を有するようにテーパ付けされている、請求項１の化学反応器のチューブを装填するための装置。
【請求項６】
反応器のチューブの開成した上部中に装填用のスリーブを挿入する工程と、次に、
前記反応器のチューブ中の前記装填用のスリーブを介して触媒を挿入する工程と、次に、
前記反応器のチューブから前記装填用のスリーブを取外す工程と、次に、
前記装填用のスリーブが前記触媒に接触するまで、前記反応器のチューブ中に前記装填用のスリーブを再び挿入する工程と、そして、
前記装填用のスリーブが再び挿入されたときに、前記触媒からの隙間が所望の範囲内にあるかどうかを確認するように、前記反応器のチューブから見ることのできる前記装填用のスリーブの目盛を読み取る工程とを具備する、化学反応器のチューブを触媒で装填するための方法。
【請求項７】
上側のチューブシートと、
この上側のチューブシートから下方へと突出している、反応器の複数のチューブと、
前記反応器の夫々のチューブ中へと挿入される複数の装填用のスリーブとを具備し、前記装填用のスリーブの各々は、上方のフランジ部分と、この上方のフランジ部分から垂下され、下方へと突出しているチューブ状のスリーブ部分とを有する化学反応器。
【請求項８】
前記上方のフランジ部分は、これの前記反応器の夫々のチューブ間で前記上側のチューブシートの部分を十分に覆うように重なっている請求項７の化学反応器。
【請求項９】
前記上方のフランジ部分は、この上方のフランジ部分の第１のグループが、前記上側のチューブシート上に静置され、前記上方のフランジ部分の第２のグループが、上方のフランジ部分の前記第１のグループ上に静置された状態の交互のグループに配列されている請求項８の化学反応器。
【請求項１０】
前記チューブ状のスリーブ部分は、前記装填用のスリーブが、反応器の夫々のチューブから取外されて、反応器の夫々のチューブ中に再び挿入された後に、隙間を測定するのに使用されることができる目盛を、前記チューブ状のスリーブ部分の外面に有している請求項８の化学反応器。
【請求項１１】
上側のチュブシートから下側のチュブシートに延びる多数の反応器のチューブのうちの１つである化学反応器のチューブを触媒で装填し、装填した後に、この化学反応器のチューブ中の触媒の高さをチェックするための装置であって、
前記上側のチュブシートの上に静置されるのに適した上方のフランジ部分を有し、この上方のフランジ部分は、所定の外径を有し、ほぼ制限されていない開口部を規定し、この開口部は、フランジ部分が上側のチュブシートの上に静置されているとき、上側のチュブシートのを通った触媒粒子全体を受けるのに適している、装填用のスリーブと、
前記上方のフランジ部分から底へと下方に突出しているチューブ状のスリーブ部分と、
このチューブ状のスリーブ部分の底から所定の高さにある、このチューブ状のスリーブ部分の少なくとも１つの目盛とを具備し、
前記チューブ状のスリーブ部分の外径は、チューブ状のスリーブ部分の全長において、前記上方のフランジ部分の最大外径よりも小さく、従って、チューブ状のスリーブは、フランジ部分が上側のチュブシート上に静置されているとき、化学反応器のチューブ中に延び、
前記チューブ状のスリーブ部分の内径は、チューブ状のスリーブ部分の全長において、前記フランジ部分の開口部の最小径よりも大きく、従って、フランジ部分の開口部を通過し得る粒子が、チューブ状のスリーブ部分全体を通って自由に流れる、装置。
【請求項１２】
前記チューブ状のスリーブ部分の様々な高さに付された複数の目盛をさらに具備している、請求項１１の化学反応器のチューブを装填するための装置。
【請求項１３】
所望の隙間のディメンションの範囲を示す幅広のバンドの目盛を、前記チューブ状のスリーブ部分にさらに具備している、請求項１１の化学反応器のチューブを装填するための装置。
【請求項１４】
前記上方のフランジ部分と前記チューブ状のスリーブ部分とは、融着によって永久的に一緒に係合された別々のピースである、請求項１１の化学反応器のチューブを装填するための装置。
【請求項１５】
前記開口部は、下端よりも上端に小さな直径を有するようにテーパ付けされている、請求項１１の化学反応器のチューブを装填するための装置。
【請求項１６】
前記チューブ状のスリーブ部分は、ほぼ一定の内径を有している、請求項１１の化学反応器のチューブを装填するための装置。
【請求項１７】
前記チューブ状のスリーブ部分は、ほぼ一定の外径を有している、請求項１６の化学反応器のチューブを装填するための装置。
【請求項１８】
上側のチュブシートと、この上側のチュブシートから下方に突出し、所定の内径を有している化学反応器のチューブとを有した化学反応器を更に具備し、前記上方のフランジ部分は、化学反応器のチューブの内径よりも大きな外径を有し、前記チューブ状のスリーブ部分は、化学反応器のチューブよりも小さな外径を有し、フランジ部分が化学反応器のチューブ上に位置された状態で化学反応器のチューブ中に受けられている、請求項１７の化学反応器のチューブを装填するための装置。
【請求項１９】
前記化学反応器のチューブ中に触媒を更に具備し、前記チューブ状のスリーブ部分は、触媒の上端上に静置し、前記目盛は、チューブ中の触媒のレベルが所望の高さにあるかどうかを決定するための手段を与えている、請求項１８の化学反応器のチューブを装填するための装置。
【手続補正２】
【補正対象書類名】明細書
【補正対象項目名】０００２
【補正方法】変更
【補正の内容】
【０００２】
従来、種々の形式の装置が、反応器のチューブ中に触媒を装填するのを助けるのに使用されている。例えば、様々なスリーブ、型板、並びに振動機が使用されている。触媒は、代表的にはペレット形状であるが、様々な形状並びにサイズであって良い。そして、触媒が装填されると、スペース、即ち隙間が所望の範囲内であるかどうかを見るために、触媒の上面から反応器のチューブの上面までの距離（隙間）を測定するために、棒状のものが各チューブ中に挿入される。この隙間が大きすぎた場合には、更なる触媒が装填され、隙間が再び測定される。隙間が小さすぎた場合には、触媒が、代表的にはチューブの上面から吸引されることによって出され、隙間が再び測定される。
【特許文献１】      ＵＳ３，２２３，４９０
【特許文献２】      ＵＳ３，７８８，３７０
【特許文献３】      ＵＳ３，８２９，９８３
【特許文献４】      ＵＳ３，９１３，８０６
【特許文献５】      ＵＳ６，４０９，９７７
【特許文献６】      ＥＰ０９６３７８５
【特許文献７】      ＵＫ２１８６２０９
【特許文献８】      ＷＯ２００４/０３７４０３
【特許文献９】      ＵＳ２４１，５９７
【特許文献１０】    ＵＳ３，９８１，３２４
【特許文献１１】    ＵＳ４，０８１，００４
【特許文献１２】    ＵＳ５，４８８，９７９
【特許文献１３】    ＵＳ６，１１２，７８１
【発明の開示】
【発明が解決しようとする課題】